(57)【要約】【課題】オプションユニットが装着された画像読取装置において、オプションユニットの機能を利用しない場合のスループットの向上を図る技術を提供する。【解決手段】画像読取装置本体と、前記画像読取装置本体に着脱自在に装着されるオプションユニットとを備えた画像読取装置において、前記画像読取装置本体は、原稿の画像を読み取る画像読取手段と、読取済み原稿を前記オプションユニットへ搬送するための第１搬送路と、読取済み原稿を前記オプションユニットを経由せずに装置外へ排出するための第２搬送路と、を備える。前記オプションユニットにより所定の処理を施す第１モードが選択された場合は読取済み原稿を前記第１搬送路に導入させ、前記所定の処理を施さずに読取済み原稿を装置外へ排出する第２モードが選択された場合は読取済み原稿を前記第２搬送路に導入させる。【選択図】図２
2007181080.tif 000002
【特許請求の範囲】
【請求項１】
画像読取装置本体と、前記画像読取装置本体に着脱自在に装着されるオプションユニットとを備えた画像読取装置において、
前記画像読取装置本体に設けられ、原稿の画像を読み取る画像読取手段と、
前記画像読取装置本体に設けられ、読取済み原稿を前記オプションユニットへ搬送するための第１搬送路および読取済み原稿を前記オプションユニットを経由せずに装置外へ排出するための第２搬送路と、
前記オプションユニットにより所定の処理を施す第１モードが選択された場合は読取済み原稿を前記第１搬送路に導入させ、前記所定の処理を施さずに読取済み原稿を装置外へ排出する第２モードが選択された場合は読取済み原稿を前記第２搬送路に導入させる制御手段と、
を備えることを特徴とする画像読取装置。
【請求項２】
前記画像読取装置本体は、前記画像読取手段の下流に設けられた前記第１搬送路と前記第２搬送路の分岐点において、読取済み原稿が導入される搬送路を前記第１搬送路と前記第２搬送路のいずれかに切り替える搬送路切替手段をさらに備え、
前記制御手段は、選択されたモードに応じて前記搬送路切替手段を制御する
ことを特徴とする請求項１に記載の画像読取装置。
【請求項３】
前記画像読取装置本体は、前記オプションユニットに駆動力または／および電力を供給する供給手段をさらに備え、
前記制御手段は、前記第２モードが選択された場合に前記供給手段による駆動力または／および電力の供給を停止する
ことを特徴とする請求項１または請求項２に記載の画像読取装置。
【請求項４】
前記オプションユニットは、前記所定の処理として、読取済み原稿に印字処理を施す
ことを特徴とする請求項１乃至請求項３のいずれかに記載の画像読取装置。
【発明の詳細な説明】
【技術分野】
【０００１】
本発明は、画像読取装置本体と、その本体に着脱自在に装着されるオプションユニットとを備えた画像読取装置に関する。
【背景技術】
【０００２】
ドキュメントスキャナ等の画像読取装置には、画像情報が読み取られた原稿に対して必要に応じて付加情報を印字可能な印字記録装置（プリンタ）が、オプションユニット（オプション機器）として用意されている。付加情報としては、例えば、日付、シリアルナンバー、処理コード、マーク等がある。
【０００３】
これらの付加情報は原稿の表面または裏面の所定の位置に印字されるのが一般的である。このため画像読取装置の原稿搬送路に対応して、所望の用途に応じて原稿の表面または裏面に印字可能な位置に印字記録装置が配置される。この種の印字記録装置には、画像読取装置の本体内部に組み込まれるタイプのものと、画像読取装置の本体に着脱自在な外付けタイプのものとがある（特許文献１参照）。
【０００４】
図６に、外付けタイプの印字記録装置の概略構成を示す。
【０００５】
オプションユニットである印字記録装置２０は、画像読取装置本体１の原稿排紙部に着脱自在に装着される。
【０００６】
画像読取装置本体１において、給紙トレイ２の上にシート状の原稿Ｐが表面を上にした状態でセットされる。給紙トレイ２上に積載された原稿Ｐのうち最上位のものが、給紙ローラ３によって繰り出され、送りローラ４と分離ローラ５によって１枚ずつ分離され順次給送される。
【０００７】
給送された原稿Ｐは、搬送ローラ対６，９，１２，１３，１４，１５によって画像読取装置本体１内の原稿搬送路を所定の速度で搬送される。その際、搬送ローラ対６と９の間に配置された画像読取センサ７によって原稿の表面の画像が読み取られ、搬送ローラ対９と１２の間に配置された画像読取センサ１０によって原稿の裏面の画像が読み取られる。画像読取センサ７および１０の対向側には、それぞれプラテンローラ８および１１が配置されている。読取済み原稿は、排紙ローラ対１６によって排紙トレイ１７へ排紙される。
【０００８】
画像読取装置本体１内の各搬送ローラ対は、駆動源であるモータ１８によって駆動伝達系（不図示）を介して駆動される。
【０００９】
印字記録装置２０は、搬送ローラ対２１，２２、原稿の表面に印字する印字記録ユニット２３、原稿の裏面に印字する印字記録ユニット２４を備える。通常、原稿への付加情報の印字は、原稿の表面または裏面のいずれか一方（片面）に行われるのが一般的である。しかし用途によっては図６に示すように２つの印字記録ユニットを用いて、原稿の表面と裏面の両方（両面）に印字することも可能である。
【００１０】
画像読取装置本体１の排紙ローラ対１６から排紙された原稿Ｐは、印字記録装置２０内の搬送ローラ対２１によって搬送される。印字記録ユニット２３および２４によって原稿の表面および裏面に付加情報が印字された後、搬送ローラ対２２により、画像読取装置本体１の排紙トレイ１７に原稿が排出される。
【００１１】
印字記録装置２０内の搬送ローラ対２１および２２は、印字記録装置２０内に設けられたモータ（不図示）または画像読取装置本体１内に設けられたモータ１８から駆動連結手段（不図示）を介して駆動力を伝達される。
【特許文献１】特開平１１−１１５２９９号公報
【発明の開示】
【発明が解決しようとする課題】
【００１２】
上記印字記録装置のようなオプションユニットは、画像読取装置本体に対して自在に装着、取り外し可能であるという利点がある。しかし、ユーザにとっては、オプションユニットの着脱を頻繁に繰り返す作業は煩雑である。
【００１３】
このため、オプションユニットの処理が不要な場合（例えば、読取済み原稿に付加情報を印字する必要がない場合）には、画像読取装置本体にオプションユニットを装着したまま、その機能をオフにして、画像読取装置を使用するのが一般的である。
【００１４】
しかしながら、従来構成では、オプションユニットの機能をオフにしていても、読取済み原稿がオプションユニット内部を搬送される。よって、原稿の搬送路がその分長くなり、スループットの低下を招く。また、オプションユニット内に原稿を通過させると、原稿から発生する粉塵や原稿との摩擦により、オプションユニット内の部材（印字ヘッド等）の耐久性が低下するといった問題も懸念される。
【００１５】
さらに、オプションユニット内の搬送系を駆動しなければならないため、無駄な電力が消費されるという問題もある。
【００１６】
本発明は上記実情に鑑みてなされたものであって、その目的とするところは、オプションユニットが装着された画像読取装置において、オプションユニットの機能を利用しない場合のスループットの向上を図る技術を提供することにある。
【００１７】
また、本発明の目的は、オプションユニットが装着された画像読取装置において、オプションユニットの機能を利用しない場合のオプションユニットの耐久性低下を抑制するための技術を提供することにある。
【００１８】
本発明のさらなる目的は、オプションユニットが装着された画像読取装置において、オプションユニットの機能を利用しない場合の消費電力の低減を図るための技術を提供することにある。
【課題を解決するための手段】
【００１９】
上記目的を達成するために本発明の画像読取装置は、以下の構成を採用する。すなわち、画像読取装置本体と、前記画像読取装置本体に着脱自在に装着されるオプションユニットとを備えた画像読取装置において、前記画像読取装置本体に設けられ、原稿の画像を読み取る画像読取手段と、前記画像読取装置本体に設けられ、読取済み原稿を前記オプションユニットへ搬送するための第１搬送路および読取済み原稿を前記オプションユニットを経由せずに装置外へ排出するための第２搬送路と、前記オプションユニットにより所定の処理を施す前記第１モードが選択された場合は読取済み原稿を前記第１搬送路に導入させ、前記所定の処理を施さずに読取済み原稿を装置外へ排出する前記第２モードが選択された場合は読取済み原稿を前記第２搬送路に導入させる制御手段と、を備える。
【発明の効果】
【００２０】
本発明によれば、オプションユニットが装着された画像読取装置において、オプションユニットの機能を利用しない場合（第２モード）に、スループットの向上、オプションユ
ニットの耐久性低下の抑制、消費電力の低減を図ることができる。
【発明を実施するための最良の形態】
【００２１】
以下に図面を参照して、この発明の好適な実施の形態を例示的に詳しく説明する。
【００２２】
図１は、画像読取装置の概略構成図である。図１は、画像読取装置本体にオプションユニット（印字記録装置）が装着される前の状態を示している。
【００２３】
画像読取装置は、画像読取装置本体１００と、この画像読取装置本体１００に着脱自在に装着されるオプションユニットである印字記録装置２００と、を備える。
【００２４】
画像読取装置本体１００は、給紙トレイ１０１を備える。給紙トレイ１０１上に、シート状の原稿Ｐが表面を上にした状態でセットされる。給紙トレイ１０１上に積載された原稿Ｐのうち最上位のものが、給紙ローラ１０２によって繰り出され、送りローラ１０３と分離ローラ１０４によって１枚ずつ分離され順次給送される。
【００２５】
給送された原稿Ｐは、搬送ローラ対１０５，１０８，１１１，１１２，１１３によって画像読取装置本体１００内の原稿搬送路を所定の速度で搬送される。その際、搬送ローラ対１０５と１０８の間に配置された画像読取センサ１０６によって原稿の表面の画像が読み取られ、搬送ローラ対１０８と１１１の間に配置された画像読取センサ１０９によって原稿の裏面の画像が読み取られる。画像読取センサ１０６および１０９の対向側には、それぞれプラテンローラ１０７および１１０が配置されている。
【００２６】
搬送ローラ対１１１の下流において、読取済み原稿の搬送路が２つに分岐する。一つは、画像読取装置本体１００の上面に配置された排紙トレイ１１４へ向かうＵターン（Ｕ字状）搬送路Ｓ２である。もう一つは、読取済み原稿を印字記録装置２００へ搬送するためのストレート搬送路Ｓ１である。
【００２７】
Ｕターン搬送路Ｓ２とストレート搬送路Ｓ１の分岐点には、フラッパー（搬送路切替手段）１１５が設けられている。フラッパー１１５のアーム部１１５ａには引張バネ１１７が連結されている。これにより、フラッパー１１５は図１の位置に固定され、読取済み原稿はＵターン搬送路Ｓ２に導入される。
【００２８】
Ｕターン搬送路Ｓ２内を搬送された原稿は排紙ローラ対１１３によって排紙トレイ１１４へ排紙される。排紙された原稿は裏面が上になった状態で、排紙トレイ１１４に積載される。Ｕターン搬送路Ｓ２により、原稿の表裏が反転され、給紙トレイ１０１に積載された順番通りに読取済み原稿が排紙トレイ１１４上に積載される。
【００２９】
一方、オプションユニットとしての印字記録装置２００は、画像読取装置本体１００のストレート搬送路Ｓ１に接続されるＵターン（Ｕ字状）搬送路２０６を有する。このＵターン搬送路２０６に沿って、搬送ローラ対２０１，２０２，２０３，２０４，２０５が設けられている。
【００３０】
搬送ローラ対２０１と２０２の間には、原稿の表面に印字記録を行う印字記録ユニット２０７が設けられている。搬送ローラ対２０４と２０５の間には、原稿の裏面に印字記録を行う印字記録ユニット２０８が設けられている。図１では２つの印字記録ユニットを設けているが、表面用または裏面用の１つの印字記録ユニットだけを設ける構成も可能である。なお、印字記録ユニット２０７と２０８は、インクジェット方式の印字ヘッドを有するもので、同一構成のユニットを用いることができる。
【００３１】
印字記録装置２００は、画像読取装置本体１００に矢印Ａ方向から装着される。図２は、画像読取装置本体１００に印字記録装置２００が装着された状態を示している。
【００３２】
印字記録装置２００側に設けられたピン等の突起部２０９が、画像読取装置本体１００側のガイド穴１１９に差し込まれ、画像読取装置本体内に設けられたマイクロスイッチ１２０を作動させる。これにより、画像読取装置本体１００に印字記録装置２００が装着されたことが検知される。
【００３３】
この画像読取装置は、オプションユニットにより読取済み原稿に所定の処理（印字記録装置２００の場合は印字処理）を施すオプション処理モードと、そのような所定の処理を施さずに読取済み原稿を装置外へ排出する通常モードとを有している。モードの選択（切替）はユーザが行うことができる。
【００３４】
（搬送路の切替制御：オプション処理モード）
印字記録装置２００が装着されて、かつ、印字記録装置２００で印字記録を行うオプション処理モードが選択された場合は、ソレノイド１１８が駆動される。ソレノイド１１８のプランジャーは、フラッパー１１５のアーム部１１５ａに連結されている。よって、ソレノイド１１８が駆動されると、プランジャーが矢印Ｂ方向に吸引され、フラッパー１１５は支点１１５ｂを中心に回転する。これにより、フラッパー１１５が図２の位置に移動し、ストレート搬送路Ｓ１に切り替わる。
【００３５】
この状態（オプション処理モード）では、読取済み原稿Ｐは、ストレート搬送路Ｓ１に導入され、搬送ローラ対１１６によって印字記録装置２００内に搬送される。
【００３６】
印字記録装置２００内に搬送された原稿Ｐは、搬送ローラ対２０１，２０２，２０３，２０４，２０５によって、Ｕターン搬送路２０６内を搬送される。この間に、印字記録ユニット２０７および２０８によって、搬送中の原稿Ｐの表面および裏面に付加情報が印字記録される。その後、原稿Ｐは再び画像読取装置本体１００内に戻され、排紙ローラ対１１３により排紙トレイ１１４上に排紙される。
【００３７】
（搬送路の切替制御：通常モード）
通常モードの場合には、ソレノイド１１８の駆動が解除され、フラッパー１１５は引張バネ１１７によって図２の破線の位置に戻される。よって、読取済み原稿Ｐは画像読取装置本体１００内のＵターン搬送路Ｓ２に導入され、印字記録装置２００を経由せずに装置外（排紙トレイ１１４上）へ直接排出される。
【００３８】
＜搬送駆動系の構成＞
図３および図４は、画像読取装置本体および印字記録装置の搬送駆動系の概略構成図である。
【００３９】
画像読取装置本体１００内の駆動モータ１２１には、プーリギア１２２が連結されている。このプーリギア１２２と噛み合うプーリギア１２３により、不図示の電磁クラッチとベルト１２５を介して、給紙ローラ１０２および送りローラ１０３が駆動される。分離ローラ１０４は、送りローラ１０３とのギア連結（不図示）により、トルクリミッタ（不図示）を介して、送りローラ１０３と逆方向（原稿を押し戻す方向）に回転駆動される。
【００４０】
搬送ローラ対１０５，１０８，１１１，１１２，１１３は、それぞれの駆動ローラ軸に連結されたプーリとこれらを繋ぐベルト１２４を介して、駆動モータ１２１により駆動される。搬送ローラ対１１６は、搬送ローラ対１１１からベルト１２６を介して、駆動される。さらに、搬送ローラ対１１６の駆動ローラ軸に連結されたプーリギアには、これと噛
合う連結ギア１２７が、搬送ローラ対１１６の駆動ローラ軸を支点に揺動自在に支持された支持アーム１２８に固定されている。この連結ギア１２７は、画像読取装置本体１００から印字記録装置２００に駆動力を供給（伝達）する供給手段である。
【００４１】
印字記録装置２００は、画像読取装置本体１００の連結ギア１２７と噛み合う連結ギア２１０を有する。連結ギア２１０は、連結ギア２１１を介して、搬送ローラ対２０１の駆動ローラ軸に連結されたプーリギアに駆動力を伝達する。搬送ローラ対２０２，２０３，２０４，２０５は、それぞれの駆動ローラ軸に連結されたプーリとこれらを繋ぐベルト２１２によって回転駆動される。
【００４２】
（駆動力の伝達制御：オプション処理モード）
印字記録装置２００で印字記録を行うオプション処理モードが選択されている場合には、連結ギア１２７を支持する支持アーム１２８が、引張バネ１２９によって付勢される。これにより、画像読取装置本体１００の連結ギア１２７と印字記録装置２００の連結ギア２１０とが噛み合い、画像読取装置本体１００から印字記録装置２００へと駆動力が伝達される（図３参照）。
【００４３】
（駆動力の伝達制御：通常モード）
印字記録を行わない通常モードが選択された場合には、ソレノイド１３０が駆動される。すると、ソレノイド１３０は、支持アーム１２８に連結されたプランジャーを矢印Ｃ方向に吸引し、連結ギア１２７と連結ギア２１０の噛み合いを解除する（図４参照）。これにより、画像読取装置本体１００から印字記録装置２００への駆動力の供給（伝達）が停止される。
【００４４】
なお、連結ギアの噛み合いの解除ではなく、電磁クラッチ等を制御して駆動力の供給／停止を切り替えてもよい。また、印字記録装置側にモータを設け、画像読取装置本体からそのモータへの電力の供給／停止を切り替える構成も好ましい。
【００４５】
＜制御系の構成＞
図５は、画像読取装置本体１００と印字記録装置２００の制御系のブロック図である。
【００４６】
画像読取装置本体１００において、ユーザが操作部１３１にあるスキャン開始指示ボタンを操作するか、あるいは外部のＰＣ（パーソナル・コンピュータ）３００からスキャン開始命令が入力されると、画像読取装置本体１００が動作を開始する。
【００４７】
画像読取装置本体１００は、制御手段（ＣＰＵ）１３７を備える。この制御手段１３７は、画像読取センサ１０６および１０９、並びに、原稿搬送手段（給紙ローラ１０２、送りローラ１０３、搬送ローラ対１０５，１０８，１１１，１１２，１１６、排紙ローラ対１１３）を駆動する駆動モータ１２１を制御する。また、制御手段１３７は、ソレノイド１１８および１３０を制御して、フラッパー１１５による搬送路の切り替えと、連結ギア１２７による駆動力の供給／停止の切り替えとを行う。
【００４８】
原稿検知センサ１３８からの原稿検知信号に基づき、所定のタイミングで画像読取センサ１０６および１０９によって原稿の画像が読み取られる。読み取られた画像は、Ａ／Ｄ変換器１３２および１３３でデジタルデータに変換された後、画像処理部１３４および１３５で所定の処理が施され、イメージメモリに記憶される。記憶された画像は、Ｉ／Ｆ部１３６を介して、外部のＰＣ３００に送信される。
【００４９】
印字記録装置２００においては、原稿検知センサ２１３により、画像読取装置本体１００から搬入された原稿が検知される。そして、制御手段（ＣＰＵ）２１８が、所定のタイ
ミングで印字駆動回路２１４，２１５を制御する。印字駆動回路２１４，２１５は印字記録ユニット２０７および２０８を駆動し、文字や画像を原稿の所定の位置に印字する。なお、この印字処理は、オプション処理モードが選択された場合にのみ実行される。
【００５０】
画像読取装置本体１００と印字記録装置２００は、ケーブルまたはコネクタによって接続され、相互にデータ転送可能である。読取済み原稿に対して印字記録を行うか否かの設定（つまり、モード選択）は、印字記録装置２００に設けられたモード切替スイッチ２１９またはＰＣ３００で動作するモード切替ソフトから行うことができる。モード切替スイッチは画像読取装置本体に設けてもよいし、省略することもできる。
【００５１】
同様に、印字内容、印字位置等の設定は、ＰＣ３００から行うか、モード切替スイッチ２１９により行うことができる。印字内容、印字位置等を設定するための専用の設定スイッチを設ける構成も好ましい。
【００５２】
モード切替スイッチ２１９の切替情報やＰＣ３００からのモード切替要求は、制御手段１３７で受け付けられる。制御手段１３７は、その切替情報または切替要求に従って、オプション処理モードと通常モードとを切り替え、上述した搬送路の切替および駆動力の供給／停止の切替を実行する。すなわち、本実施形態では、モード切替スイッチ２１９やＰＣ３００のモード切替ソフトが本発明のモード選択手段の役割を果たし、制御手段１３７が本発明の制御手段の役割を果たす。
【００５３】
＜作用効果＞
印字記録装置２００を装着した状態であっても、通常モードの場合は、読取済み原稿が印字記録装置２００を経由せずに装置外へ排出される。したがって、従来よりも通常モード時のスループットが向上する。また、通常モード時に、印字記録装置２００内の部材（印字ヘッド等）の耐久性の低下を防ぐことができる。
【００５４】
さらに、通常モードの場合は、印字記録装置２００への駆動力（あるいは電力）の供給が停止されるので、無駄な電力消費を抑えることができる。
【００５５】
＜変形例＞
画像読取装置本体１００の制御手段１３７が、印字駆動回路２１４，２１５を直接制御したり、原稿検知センサ２１３やモード切替スイッチ２１９の状態を監視する構成でもよい。この構成の場合は、印字記録装置側の制御手段２１８が不要となる。また、印字駆動回路２１４，２１５を画像読取装置本体１００側に設けてもよい。
【００５６】
上記実施形態では、オプションユニットとして、印字記録装置を例示した。しかし、ＯＣＲ（Optical Character Reader）装置、バーコードリーダー、ＭＩＣＲ（Magnetic Ink
Character Reader）装置などの他のオプションユニットの場合にも、本発明の構成を適
用可能である。
【図面の簡単な説明】
【００５７】
【図１】画像読取装置の概略構成図。
【図２】画像読取装置本体に印字記録装置が装着された状態を示す図。
【図３】画像読取装置本体および印字記録装置の搬送駆動系の概略構成図（オプション処理モード）。
【図４】画像読取装置本体および印字記録装置の搬送駆動系の概略構成図（通常モード）。
【図５】画像読取装置本体と印字記録装置の制御系のブロック図。
【図６】従来の画像読取装置の概略構成図。
【符号の説明】
【００５８】
１００  画像読取装置本体
１０６，１０９  画像読取センサ（画像読取手段）
１１５  フラッパー（搬送路切替手段）
１１８  ソレノイド
１２１  駆動モータ
１２７  連結ギア（供給手段）
１３０  ソレノイド
１３７  制御手段
２００  印字記録装置（オプションユニット）
２０７，２０８  印字記録ユニット
２１９  モード切替スイッチ（モード選択手段）
Ｐ  原稿
Ｓ１  ストレート搬送路（第１搬送路）
Ｓ２  Ｕターン搬送路（第２搬送路）
【図１】
2007181080.tif 000003
【図２】
2007181080.tif 000004
【図３】
2007181080.tif 000005
【図４】
2007181080.tif 000006
【図５】
2007181080.tif 000007
【図６】
2007181080.tif 000008